(57)【要約】【課題】搬送時や撹拌時に意図せず容器が開放してしまうことを抑制できるとともに、収容された商品を取り出す際には容易に開放することが可能な収容容器を提供する。【解決手段】収容容器１は、第一半割部２と、第二半割部３と、を備え、第一半割部２と第二半割部３との互いの開口縁部同士を接続するヒンジ部４と、第一半割部２と第二半割部３との互いの開口縁部同士をヒンジ部４から離間した位置で係脱可能な係合部５と、を備え、係合部５は、第一半割部２の開口縁部の内側面と、第二半割部３の開口縁部の外側面との何れか一方に設けられる爪部２２と、第二半割部３の開口縁部の内側面と、第二半割部の開口縁部の外側面との何れか他方に設けられて、爪部が係止可能な係止凹部１０と、第二半割部３に設けられて係合部５が配される位置で第一半割部２の開口縁部から収容空間の内側に離間するように凹む凹部２１と、を備える。【選択図】図１
2017206266.tif 000002
【特許請求の範囲】
【請求項１】
凹状の第一内部空間を形成する第一半割部と、
前記第一半割部２の開口縁部の内側にその弾性により嵌め合わせ可能な開口縁部を有し、凹状の第二内部空間を形成する第二半割部と、を備え、
前記第一半割部の開口縁部を前記第二半割部の開口縁部に嵌め合わせることで、前記第一内部空間と前記第二内部空間とにより一つの収容空間が形成される収容容器であって、
前記第一半割部と前記第二半割部との互いの開口縁部同士を接続するヒンジ部と、
前記第一半割部と前記第二半割部との互いの開口縁部同士を前記ヒンジ部から離間した位置で係脱可能な係合部と、を備え、
前記係合部は、
前記第一半割部の開口縁部の内側面と、前記第二半割部の開口縁部の外側面との何れか一方に設けられる爪部と、
前記第二半割部の開口縁部の内側面と、前記第二半割部の開口縁部の外側面との何れか他方に設けられて、前記爪部が係止可能な係止凹部と、
前記第二半割部に設けられて前記係合部が配される位置で前記第一半割部の開口縁部から前記収容空間の内側に離間するように凹む凹部と、を備える収容容器。
【請求項２】
前記凹部は、前記開口縁部の延びる周方向の中央部に向かうほど前記第一半割部の開口縁部から離間するように形成されている請求項１に記載の収容容器。
【請求項３】
前記第一半割部と、前記第二半割部とは、それぞれの開口縁部の形状が円形に形成され、
前記凹部は、凹曲面を有する請求項１又は２に記載の収容容器。
【請求項４】
前記凹部は、
前記第二半割部の前記開口縁部から、この開口縁部の延びる周方向に交差する方向に延びるスリットを有する請求項１から３の何れか一項に記載の収容容器。
【請求項５】
前記スリットは、
前記開口縁部の延びる周方向で前記凹部の中央部に形成されている請求項４に記載の収容容器。
【請求項６】
前記係合部は、
前記開口縁部の延びる周方向で、前記スリットを挟んだ両側にそれぞれ設けられるとともに、前記開口縁部の延びる周方向において前記凹部が形成される範囲に配される前記請求項４又は５に記載の収容容器。
【請求項７】
前記開口縁部の延びる周方向で、前記ヒンジ部と前記係合部との中間位置よりも前記ヒンジ部に近い位置に、前記第一半割部の開口縁部と、前記第二半割部の開口縁部とを係脱可能な補助係合部を有する請求項１から６の何れか一項に記載の収容容器。
【請求項８】
前記第一半割部の前記凹部に対向する位置に形成されて、前記第一半割部の開口縁部から突出する突出部と、
前記突出部の内側面に形成されて、前記第一半割部と前記第二半割部とを嵌め合わせた状態で、前記内側面から前記凹部の外面に向かって突出する第一リブと、
を備える請求項１から７の何れか一項に記載の収容容器。
【請求項９】
前記凹部に設けられて、前記第一半割部と前記第二半割部とを嵌め合わせた状態で、前記凹部の外面から前記突出部の内側面に向かって突出する第二リブを備える請求項８に記載の収容容器。
【発明の詳細な説明】
【技術分野】
【０００１】
この発明は、収容容器に関するものである。
【背景技術】
【０００２】
商品を収容した球状の容器を排出する商品排出装置が知られている。この種の商品排出装置にあっては、予め沢山の球状の容器を収納させて、コイン投入口から硬貨が投入されてハンドルが回動操作されると、そのうちの一つを取出口に排出するという機構を採用している場合が多い。この種の商品排出装置は、何が出てくるか分からないという状態を演出するために、一般に、ハンドルが回動操作されると収納部に収納された容器が撹拌されるようになっている。
その一方で、商品を収容した球状の容器は、商品排出装置に収納されるまでの間、袋などに入れられて運搬される場合が多い。
【０００３】
商品を収容する球状の容器は、２つの半球体を嵌め合わせ等により結合させていることが多い。このような容器は、撹拌や搬送の際に、容器同士が押し合って内側に弾性変形してしまうと、嵌め合わせが外れて商品が外部に出てしまう場合があった。
【０００４】
そこで、特許文献１には、容器にヒンジ式の留め具を設けて、意図しない容器の開放を防ぐ技術が開示されている。
特許文献２には、複数の爪を設けることで、同じく、意図しない容器の開放を防ぐ技術が開示されている。
【先行技術文献】
【特許文献】
【０００５】
【特許文献１】特開２０１１−２５５９１６号公報
【特許文献２】特許第５５７９７８４号公報
【発明の概要】
【発明が解決しようとする課題】
【０００６】
特許文献１に記載の容器は、成型するための金型が消耗すると、留め具の係合が甘くなってしまい意図せずに容器が開放してしまう可能性がある。
一方で、特許文献２の容器は、複数の爪を周方向に複数備えているため、搬送時や撹拌時の容器開放を抑制できる。しかし、購入した後に商品を取り出そうとしても容易に取り出すことができない。より具体的には、特許文献２の容器は、複数の爪を同時に押し込んで弾性変形させながら半球体を互いに離間させる方向に引っ張る必要がある。そのため、特に子供にとって商品の取出しが困難になる場合がある。
【０００７】
この発明は、上記事情に鑑みてなされたものであり、搬送時や撹拌時に意図せず容器が開放してしまうことを抑制できるとともに、収容された商品を取り出す際には容易に開放することが可能な収容容器を提供するものである。
【課題を解決するための手段】
【０００８】
上記の課題を解決するために、この発明は以下の構成を備える。
この発明の第一態様によれば、収容容器は、凹状の第一内部空間を形成する第一半割部と、前記第一半割部の開口縁部の内側にその弾性により嵌め合わせ可能な開口縁部を有し、凹状の第二内部空間を形成する第二半割部と、を備え、前記第一半割部の開口縁部を前記第二半割部の開口縁部に嵌め合わせることで、前記第一内部空間と前記第二内部空間とにより一つの収容空間が形成される収容容器であって、前記第一半割部と前記第二半割部との互いの開口縁部同士を接続するヒンジ部と、前記第一半割部と前記第二半割部との互いの開口縁部同士を前記ヒンジ部から離間した位置で係脱可能な係合部と、を備え、前記係合部は、前記第一半割部の開口縁部の内側面と、前記第二半割部の開口縁部の外側面との何れか一方に設けられる爪部と、前記第二半割部の開口縁部の内側面と、前記第二半割部の開口縁部の外側面との何れか他方に設けられて、前記爪部が係止可能な係止凹部と、前記第二半割部に設けられて前記係合部が配される位置で前記第一半割部の開口縁部から前記収容空間の内側に離間するように凹む凹部と、を備える。
【０００９】
このように第二半割部が凹部を備えていることで、沢山の収容容器が袋などに収容され収容容器が外部から押圧される状態であるときであっても、係合部が配される位置の第二半割部の開口縁部だけが押圧される状態になることを抑制できる。その結果、搬送時や撹拌時に意図せず収容容器が開放してしまうことを抑制できる。
さらに、係合部が配される位置の第一半割部の開口縁部と第二半割部の開口縁部との間に隙間が形成される。そのため、収容容器を開放させたい場合には、この隙間に指を差し込もうとすることで、凹部を収容容器の内側に向かって押圧できる。そのため、爪部を係止凹部から離脱させて係合部による係合を容易に解除することができる。
【００１０】
この発明の第二態様によれば、収容容器は、第一態様における凹部が、前記開口縁部の延びる周方向の中央部に向かうほど前記第一半割部の開口縁部から離間するように形成されていてもよい。
このように構成することで、第一半割部の開口縁部と第二半割部の開口縁部との間に形成される隙間の形状を、指が引っ掛かりやすい形状にすることができる。そのため、係合部による係合の解除をより容易に行うことができる。
【００１１】
この発明の第三態様によれば、収容容器は、第一又は第二態様において、前記第一半割部と、前記第二半割部とのそれぞれの開口縁部の形状が円形に形成され、前記凹部が凹曲面を有するようにしてもよい。
このように構成することで、開口縁部の延びる周方向の中央部に向かうほど大きくなる隙間を容易に形成することができる。さらに、凹部が凹曲面を有することで、凹部を収容容器の内側に向かって押圧した際に弾性変形させ易くすることができる。
【００１２】
この発明の第四態様によれば、収容容器は、第一から第三態様の何れか一つの態様における凹部が、前記第二半割部の前記開口縁部から、この開口縁部の延びる周方向に交差する方向に延びるスリットを有するようにしてもよい。
このように構成することで、凹部を収容容器の内側に向かって撓ませ易くなる。そのため、より小さい力で係合部による係合を解除することができる。
【００１３】
この発明の第五態様によれば、収容容器は、第四態様のスリットが、前記開口縁部の延びる周方向で前記凹部の中央部に形成されていてもよい。
このように構成することで、スリットが中央部に形成されていない場合よりも、凹部を効率よく撓ませることができる。
【００１４】
この発明の第六態様によれば、収容容器は、第四又は第五態様の係合部が、前記開口縁部の延びる周方向で、前記スリットを挟んだ両側にそれぞれ設けられるとともに、前記開口縁部の延びる周方向において前記凹部が形成される範囲に配されていてもよい。
このように構成することで、スリットを挟んだ両方の係合部の係合が同時に外れない限り、収容容器が開放されない。そのため、係合部による係合の信頼性を向上できる。また、収容容器を開放する際には、開口縁部の延びる周方向において凹部の中央部に指を差し込もうとするだけで、スリットを挟んだ両方の係合部の係合を同時に解除できる。
【００１５】
この発明の第七態様によれば、収容容器は、第一から第六態様の何れか一つの態様において、前記開口縁部の延びる周方向で、前記ヒンジ部と前記係合部との中間位置よりも前記ヒンジ部に近い位置に、前記第一半割部の開口縁部と、前記第二半割部の開口縁部とを係脱可能な補助係合部を有していてもよい。
このように構成することで、係合部の係合が意図せず解除された場合も補助係合部によって収容容器の開放を抑制できる。さらに、補助係合部がヒンジ部に近い位置に配置されることで、収容容器を開放する際には、ヒンジ部から遠い位置の第一半割部と第二半割部の開口縁部同士を離間させることで、梃子の原理により小さな力で補助係合部に大きな力を作用させることができる。そのため、補助係合部を設けた場合であっても、容易に収容容器を開放することができる。
【００１６】
この発明の第八態様によれば、収容容器は、第一から第七態様の何れか一つの態様において、前記第一半割部の前記凹部に対向する位置に形成されて、前記第一半割部の開口縁部から突出する突出部と、前記突出部の内側面に形成されて、前記第一半割部と前記第二半割部とを嵌め合わせた状態で、前記内側面から前記凹部の外面に向かって突出する第一リブと、を備えていてもよい。
このように構成することで、第一半割部と第二半割部とが嵌め合わされた状態から突出部を指の腹で持ち上げることで、爪部を係止凹部から離脱させて係合部による係合を容易に解除することができる。さらに、突出部の内側面から凹部の外面に向かって第一リブが形成されていることで、収容容器を運搬する際には、他の収容容器の突出部が、突出部と凹部との隙間に入り込むことを抑制できる。そのため、収容された商品を取り出す際には容易に開放できるとともに、運搬時等の意図しない容器の開放を低減することができる。
【００１７】
この発明の第九態様によれば、収容容器は、第八態様において、前記凹部に設けられて、前記第一半割部と前記第二半割部とを嵌め合わせた状態で、前記凹部の外面から前記突出部の内側面に向かって突出する第二リブを備えていてもよい。
このように第二リブが突出部に向かって突出していることで、第一リブと凹部との隙間に他の収容容器の突出部などが入り込むことを抑制できる。その結果、意図しない容器の開放をより一層低減することができる。
【発明の効果】
【００１８】
上記収容容器によれば、搬送時や撹拌時に意図せず容器が開放してしまうことを抑制できるとともに、収容された商品を取り出す際には容易に開放することが可能となる。
【図面の簡単な説明】
【００１９】
【図１】この発明の実施形態における収容容器の斜視図である。
【図２】この発明の実施形態における収容容器の平面図である。
【図３】この発明の実施形態における収容容器の底面図である。
【図４】この発明の実施形態における収容容器の右側面図である。
【図５】この発明の実施形態における収容容器の正面図である。
【図６】この発明の実施形態における収容容器の背面図である。
【発明を実施するための形態】
【００２０】
次に、この発明の一実施形態における収容容器を図面に基づき説明する。
図１は、この発明の実施形態における収容容器の斜視図である。図２は、この発明の実施形態における収容容器の平面図である。図３は、この発明の実施形態における収容容器の底面図である。図４は、この発明の実施形態における収容容器の右側面図である。図５は、この発明の実施形態における収容容器の正面図である。図６は、この発明の実施形態における収容容器の背面図である。
【００２１】
この実施形態の収容容器１は、その内部に商品を取出し可能に収容する。この収容容器１は、商品が収容された状態で、例えば、商品排出装置（図示せず）の内部に複数収納される。この商品排出装置は、コイン投入口から硬貨が投入されてハンドルが回動操作されると、内部に収納された複数の収容容器１のうち一つを取出口に排出する。それと同時に、商品排出装置は、ハンドルが回動されると、その内部に収納された複数の収容容器１を撹拌する。
【００２２】
図１から図４に示すように、収容容器１は、第一半割部２と、第二半割部３と、ヒンジ部４と、係合部５と、補助係合部６と、を備えている。
【００２３】
第一半割部２は、凹状の第一内部空間７を形成する。この実施形態における第一内部空間７は、半球状に形成されている。第一半割部２は、その第一外壁８の厚さが一定となるように形成されている。この第一外壁８の厚さｔ１（図２参照）は、第二半割部３の第二外壁１８の厚さｔ２（図２参照）よりも小さくなっている。第一外壁８の第一外周面９（外側面）は、半球面とされている。この第一半割部２の開口縁部１２ａは、ヒンジ部４を介して第二半割部３の開口縁部１２ｂに接続されている。開口縁部１２ａは、その輪郭が実質的に円形となるように形成されている。
【００２４】
第一半割部２は、突出部９ａと、第一リブ９ｒと、係止孔部１０（係止凹部）と、補助係止孔部１１と、を有している。
突出部９ａは、開口縁部１２ａの周方向で、ヒンジ部４と対称位置に形成されている。突出部９ａは、収容容器１を開放する際に、例えば開放操作する親指等の指が触れる部分である。この突出部９ａは、周囲の開口縁部１２ａから、第一外周面９を延長するように突出している。この突出部９ａは、球面状に突出して形成されている。この実施形態における突出部９ａは、その端縁が、凸状に湾曲して形成されている。
【００２５】
突出部９ａの高さ寸法ｈ１（図４参照）は、後述する凹部２１の高さ寸法ｈ２よりも小さく、且つ、爪部２２の高さ寸法ｈ３（図４参照）よりも大きく形成されている。開口縁部１２ａの周方向において、突出部９ａの幅寸法ｗ１（図２参照）は、ヒンジ部４の幅寸法ｗ２（図２参照）よりも十分に大きく形成されている。さらに、この実施形態における突出部９ａの幅寸法ｗ１（図２参照）は、一般的な購入者の指の太さよりも大きく形成されている。
【００２６】
図１、図２に示すように、第一リブ９ｒは、突出部９ａの内側面９ｎに形成されている。第一リブ９ｒは、第一半割部２の開口縁部１２ａの周方向において、突出部９ａの中心位置である中央部Ｃ１（図１中、一点鎖線で示す）を挟んで２つ設けられている。これら第一リブ９ｒは、それぞれ一点鎖線で示す中央部Ｃ１と平行に延びており、それぞれ突出部９ａの内側面９ｎから径方向内側に向かって突出している。言い換えれば、図２に二点鎖線で示すように、第一リブ９ｒは、第一半割部２と第二半割部３とが嵌め合わされた状態で、内側面９ｎから凹部２１の外面２１ａに向かって突出している。さらに、図１、図２に示すように、これら２つの第一リブ９ｒは、それぞれ後述する２つのカバー１０ｂの間に形成されている。
【００２７】
この実施形態における２つの第一リブ９ｒは、それぞれ開口縁部１２ａの周方向で近い側のカバー１０ｂとの間に僅かな隙間をもって配置されている。この実施形態における第一リブ９ｒは、突出部９ａの内側面９ｎから径方向内側に向かって突出する平板状に形成されている。これら第一リブ９ｒは、それぞれの内側縁９ｒｉが直線状に延びるように形成されている。さらに、２つの第一リブ９ｒは、それぞれの高さｈｒが、カバー１０ｂの高さｈｃよりも高く、且つ第一半割部２と第二半割部３とが嵌め合わされた際に、凹部２１の外面２１ａに干渉しない高さに形成されている。この実施形態における第一リブ９ｒの第一端部９ｔ１は、開口縁部１２ａの位置を基準として後述するカバー１０ｂの端部１０ｂｉよりも僅かに離れた位置に配置されている。
【００２８】
一方で、第一リブ９ｒの外側端部９ｒｏは、第一リブ９ｒの延びる方向で、突出部９ａの外縁部９ａｏと同一位置に配置されている。この実施形態における第一リブ９ｒは、外側端部９ｒｏ側の角部が、例えば凸曲面等によって面取りされている。
【００２９】
係止孔部１０は、第一外周面９に形成され、後述する爪部２２と共に、係合部５を構成する。この係合部５は、第一半割部２と第二半割部３とを係脱可能に係合する。
【００３０】
図１、図５に示すように、係止孔部１０は、長孔１０ａと、カバー１０ｂと、を有している。長孔１０ａは、間隔を空けて平行に２つ形成されている。これら長孔１０ａは、それぞれ開口縁部１２ａの周方向において、突出部９ａが形成される範囲内に配されている。これら長孔１０ａは、例えば、第一外周面９の開口縁部１２ａを半球の赤道とすると、開口縁部１２ａの周方向における突出部９ａの中央部Ｃ１を通り、赤道に直交する経線に対して、それぞれ平行に形成されている。
【００３１】
これら長孔１０ａは、第一外壁８から突出部９ａに渡るように形成されている。長孔１０ａのうち突出部９ａに形成される部分の長さＬ１は、後述する爪部２２の高さ寸法ｈ４（図６参照）よりも僅かに長く形成されている。
【００３２】
カバー１０ｂは、長孔１０ａの一部を除いて、第一外壁８の内周側から覆っている。より具体的には、カバー１０ｂは、長孔１０ａのうち、第一外壁８に形成されている部分を覆っている。カバー１０ｂは、開口縁部１２ａすなわち赤道と平行な断面が、Ｕ字状に形成されている（図１、図２参照）。カバー１０ｂは、そのＵ字状の縦壁の内面が、長孔１０ａの内周面と連続するように形成されている。これにより、第一外壁８において、長孔１０ａとカバー１０ｂとによって、Ｕ字状の溝が形成される。
【００３３】
図１から図４に示すように、補助係止孔部１１は、後述する補助爪部２３と共に補助係合部６を構成する。補助係合部６は、上述した係合部５とは別に、第一半割部２と第二半割部３とを係脱可能に係合する。
補助係止孔部１１は、切欠き１３と、補助係止部本体１４と、補助係止カバー１５と、を備えている。
切欠き１３は、第一半割部２の開口縁部１２ａから経線方向に向かってＵ字状に凹むように形成されている。この切欠き１３は、第一半割部２の経線方向で、補助爪部２３が挿通可能となっている。
【００３４】
補助係止部本体１４は、補助爪部２３が切欠き１３に挿入された際に、補助爪部２３が係止される。この補助係止部本体１４は、開口縁部１２ａの周方向に延びるよう帯状に形成されている。この補助係止部本体１４は、第一外周面９よりも開口縁部１２ａの径方向で外側に向かって突出している。より具体的には、補助係止部本体１４は、開口縁部１２ａの径方向における、内側面１４ａが角溝となるように、径方向外側に向かって突出している。この実施形態における補助係止部本体１４の外面１４ｂは、第一半割部２の周方向で第一外周面９と連続するスロープ１６を備えている。これらスロープ１６によって補助係止部本体１４の外面１４ｂと、第一外周面９とに段差が生じることが低減されている。
【００３５】
補助係止カバー１５は、開口縁部１２ａの径方向において、切欠き１３を内側から覆っている。補助係止カバー１５は、開口縁部１２ａの位置において、その内側面１５ａが、上述した補助係止部本体１４の内側面１４ａと、開口縁部１２ａの径方向で対称な角溝状に形成されている。つまり、補助係止カバー１５と、補助係止部本体１４とによって、実質的に開口縁部１２ａに矩形状の補助開口部１７が形成される。この補助開口部１７は、補助爪部２３を挿抜可能な大きさとされている。補助係止カバー１５は、切欠き１３の中心線Ｃ２と赤道との交点Ｐ１（図４参照）を通り、且つ、経線方向に延びる第一半割部２の接線と平行に直線状に延びている。
【００３６】
第二半割部３は、凹状の第二内部空間２０を形成する。この実施形態における第二内部空間２０は、半球状に形成されている。第二半割部３は、その第二外壁１８の厚さが一定に形成され、その第二外周面１９が、第一外周面９と同様に、半球面とされている。この第二半割部３の開口縁部１２ｂは、ヒンジ部４を介して第一半割部２の開口縁部１２ａに接続されている。開口縁部１２ｂは、開口縁部１２ａと同様に、その輪郭が実質的に円形に形成されている。
【００３７】
図１から図４、図６に示すように、第二半割部３は、凹部２１と、第二リブ２１ｒと、爪部２２と、補助爪部２３と、を有している。第二半割部３は、その開口縁部１２ｂに、その径方向において内側に凹む段差部Ｄが形成されている。この段差部Ｄは、開口縁部１２ｂに沿って等幅の帯状に形成されている。この段差部Ｄが形成される部分の開口縁部１２ｂは、第二半割部３の開口縁部１２ｂの内側に嵌合可能となっている。段差部Ｄの径方向の厚さ寸法ｔ３は、第二半割部３の厚さ寸法ｔ１と同等の寸法とされている。そのため、第二半割部３の開口縁部１２ｂを第一半割部２の開口縁部１２ａの内側に嵌入した状態では、第二半割部３の第二外周面１９と、第一半割部２の第一外周面９とが連続するように配されて、いわゆる面一の状態となる。
【００３８】
凹部２１は、開口縁部１２ｂの周方向で、ヒンジ部４と対称位置に形成されている。凹部２１は、第一半割部２と第二半割部３とが係合された状態で、第一半割部２の突出部９ａに対向する位置に形成されている。この凹部２１は、開口縁部１２ｂの径方向において、その周囲の第二外周面１９を延長した延長面よりも内側に凹むように形成されている。言い換えれば、この凹部２１は、第二外周面１９の一部を面取りするように形成されている。この実施形態における凹部２１は、開口縁部１２ｂの径方向において、僅かに内側に凹状に湾曲する球面（凹曲面）に形成されている。これにより、凹部２１は、第一半割部２と第二半割部３とが係合された状態で、開口縁部１２ｂの周方向における中央部２４（図２、図３、図６参照）に向かうほど、突出部９ａの内周面２５（図２の二点鎖線を参照）から離間する。
【００３９】
図１、図２、図６に示すように、凹部２１は、スリット２６を備えている。このスリット２６は、凹部２１の中央部２４に形成されている。スリット２６は、経線方向（開口縁部１２ａの延びる周方向に交差する方向）で開口縁部１２ｂの位置から凹部２１の高さ寸法ｈ２（図４参照）の中間位置まで延びている。この実施形態におけるスリット２６の基部には、傾斜面からなる面取り部２７が形成されている。
【００４０】
爪部２２は、凹部の外面２１ａ、すなわち第二半割部３の第二外周面１９に形成され、上述した第一半割部２の係止孔部１０と共に係合部５を構成する。爪部２２は、係止孔部１０に対応する位置で、それぞれ凹部２１の外面２１ａから外側に向かって突出している。爪部２２は、それぞれ係止孔部１０に没入可能な大きさとされている。爪部２２は、案内面２８と、係止面２９とを備えている。案内面２８は、収容容器１を閉塞する際に、凹部２１に対して突出部９ａが近づく方向で、且つ、開口縁部１２ｂの径方向外側を向く傾斜面とされている。ここで、第一半割部２を図１の実線で示す位置から二点鎖線で示す位置まで揺動させて収容容器１を閉塞させようとする。すると、突出部９ａが案内面２８に突き当たり、徐々に凹部２１から離間する方向に弾性変形する。これにより、突出部９ａが凹部２１の外側に回り込む。その後、爪部２２の位置が係止孔部１０の位置と重なると、突出部９ａの弾性力により爪部２２が係止孔部１０に没入する。
【００４１】
係止面２９は、係止孔部１０に没入された状態において、係止孔部１０の長手方向の端部の内周面２５と平行に対向する。この係止面２９により、凹部２１に対して突出部９ａが収容容器１の開放方向へ揺動することを規制する。一方で、係止面２９は、突出部９ａが凹部２１から開口縁部１２ｂの径方向外側に弾性的且つ相対的に変位することは許容する。この係止面２９は、凹部２１に対して突出部９ａが相対的に変位する方向に対して直交し、且つ、開口縁部１２ｂの径方向における外側に向かって延びている。この実施形態における係止面２９は、係止孔部１０の長孔１０ａの端部の内周面２５の円弧面に対応した曲面を有している。
【００４２】
図１、図２に示すように、第二リブ２１ｒは、凹部２１に設けられて、第一半割部２と第二半割部３とを嵌め合わせた状態で、凹部２１の外面２１ａから突出部９ａの内側面９ｎに向かって突出するように形成されている。この実施形態における第二リブ２１ｒは、２つの爪部２２からスリット２６の延びる方向と同じ方向にそれぞれ延びている。この実施形態における２つの第二リブ２１ｒは、爪部２２の位置から、第一半割部２と第二半割部３とを嵌め合わせた状態の中央部２４に沿って突出部９ａの外縁部９ａｏの位置よりも僅かに外側の位置まで延びており、その外側の端部２１ｒｏが外部に露出するようになっている。この第二リブ２１ｒの外側の端部２１ｒｏは、凸状の曲面によって面取りされている。ここで、この実施形態における第二リブ２１ｒは、爪部２２と一体に形成されている。このように第二リブ２１ｒと爪部２２とを一体に形成することで、爪部２２の強度を向上できる共に成型する際に金型から抜き易くすることができる。
【００４３】
第二リブ２１ｒは、第一半割部２と第二半割部３とが嵌め合わされた状態で、開口縁部１２ａの周方向において、２つの第一リブ９ｒの外側にそれぞれ配置されている。さらに、第二リブ２１ｒは、第一半割部２と第二半割部３とが嵌め合わされた状態で、凹部２１の外面２１ａから第一リブ９ｒの内側縁９ｒｉよりも内側面９ｎに近い位置まで突出している。また、これら第二リブ２１ｒは、爪部２２よりも突出量が小さくなるように形成されている。
【００４４】
補助爪部２３は、補助係止孔部１１と共に補助係合部６を構成する。これら補助爪部２３は、補助爪部本体３０と、補助係止爪３１と、を備えている。
補助爪部本体３０は、経線方向に延びて開口縁部１２ｂから突出している。開口縁部１２ｂの周方向において、補助爪部本体３０の両側には、それぞれ補助スリット３２が形成されている。これら補助爪部本体３０は、開口縁部１２ｂの径方向に弾性変形して容易に撓むことが可能な幅寸法となっている。
【００４５】
補助係止爪３１は、補助爪部本体３０の端部に形成されている。これら補助係止爪３１は、上述した第一半割部２の補助係止部本体１４に係止可能とされている。補助係止爪３１は、開口縁部１２ｂの径方向で外側に突出している。この実施形態における補助係止爪３１には、開口縁部１２ｂの径方向で外側、且つ、補助爪部本体３０の端部側の部分に、補助案内面３４が形成されている。補助案内面３４は、収容容器１を閉塞する際に、補助係止部本体１４に近づく方向で、且つ、開口縁部１２ｂの径方向における外側を向く傾斜面とされている。
【００４６】
図２に示すように、上述した補助係合部６は、開口縁部１２ｂの周方向で、ヒンジ部４と係合部５との中間位置よりもヒンジ部４に近い位置に配されている。この実施形態における補助係合部６は、開口縁部１２ｂの周方向で、ヒンジ部４、および、係合部５を挟んだ対称位置にそれぞれ形成されている。
ここで、この実施形態における第一半割部２の第一外壁８と、第二半割部３の第二外壁１８とは、それぞれ複数（例えば、４つ）の貫通孔３３を有している。
収容容器１が閉塞されている状態で、貫通孔３３、スリット２６、補助スリット３２、および、突出部９ａと凹部２１との間の隙間を介して、収容容器１の内部に形成される収容空間と、その外部の空間とが連通される。
【００４７】
ヒンジ部４は、その幅方向に溝４ａ（図３参照）が形成された平板状に形成されている。このヒンジ部４は、第一半割部２と第二半割部３と一体に成形される。ヒンジ部４は、溝４ａに直交する方向への曲げた場合であっても破損しない十分な可撓性と弾性とを有した樹脂等で形成されている。
【００４８】
したがって、上述した実施形態によれば、第二半割部３が凹部２１を備えていることで、沢山の収容容器１が袋などに収容され収容容器１が外部から押圧される状態であるときであっても、係合部５が配される位置において第二半割部３の開口縁部１２ｂだけが押圧される状態になることを抑制できる。言い換えれば、凹部２１よりも突出部９ａが先当たりするため、凹部２１のみが外部から押圧されることを抑制できる。その結果、搬送時や撹拌時に意図せず収容容器１が開放してしまうことを抑制できる。
【００４９】
さらに、係合部５において、第一半割部２の開口縁部１２ａと第二半割部３の開口縁部１２ｂとの間に隙間が形成される。そのため、収容容器１を開放させたい場合には、この隙間に指を差し込もうとすることで、凹部２１を収容容器１の内側に向かって押圧できる。そのため、爪部２２を係止孔部１０から離脱させて係合部５による係合を少ない力で容易に解除することができる。
【００５０】
さらに、凹部２１が、開口縁部１２ｂの延びる周方向の中央部２４に向かうほど第一半割部２の突出部９ａから離間するように形成されていることで、凹部２１と突出部９ａとの間に形成される隙間の形状を、指が引っ掛かりやすい形状にすることができる。そのため、係合部５による係合の解除をより容易に行うことができる。
【００５１】
さらに、第一半割部２と、第二半割部３とのそれぞれの開口縁部１２ａ，１２ｂの形状が円形に形成され、凹部２１が凹状の球面（凹曲面）を有することで、開口縁部１２ｂの延びる周方向の中央部２４に向かうほど大きくなる隙間を容易に形成することができる。さらに、凹部２１が球面を有することで、凹部２１を収容容器１の内側に向かって押圧した際に弾性変形させ易くすることができる。
【００５２】
さらに、凹部２１がスリット２６を有するとともに、凹部２１の中央部２４にスリット２６が形成されていることで、凹部２１を収容容器１の内側に向かって効率よく撓ませることができる。そのため、より小さい力で係合部５による係合を容易に解除することができる。
【００５３】
さらに、スリット２６を挟んで両側に係合部５が配されていることで、スリット２６を挟んだ両方の係合部５の係合が同時に外れない限り、収容容器１が開放されない。そのため、係合部５による係合の信頼性を向上できる。一方で、収容容器１を開放する際には、開口縁部１２ａ，１２ｂの延びる周方向において凹部２１の中央部２４に指を差し込もうとするだけで、スリット２６を挟んだ両方の係合部５の係合を同時に解除させることができる。
【００５４】
さらに、補助係合部６を備えていることで、係合部５の係合が意図せず解除された場合も補助係合部６によって収容容器１の開放を抑制できる。さらに、補助係合部６がヒンジ部４に近い位置に配置されることで、収容容器１を開放する際には、梃子の原理により、より小さな力で補助係合部６に大きな力を作用させることができる。より具体的には、ヒンジ部４から遠い位置の第一半割部２と第二半割部３の開口縁部１２ｂを力点、ヒンジ部４を支点、補助係合部６を作用点とすると、作用点から支点までの距離よりも、力点から支点までの距離をより大きくすることができる。そのため、補助係合部６を設けた場合であっても、容易に収容容器１を開放することができる。
【００５５】
さらに、上述した実施形態の係合部５は、爪部２２が長孔１０ａに没入する単純な構造となっている。そのため、例えば、収容容器１を成形する金型が多少消耗した場合であっても、意図せず係合部５の係合が解除されることを抑制できる。
【００５６】
さらに、第一リブ９ｒを備えることで、第一半割部２と第二半割部３とが嵌め合わされた状態から突出部９ａを指の腹で持ち上げることで、爪部２２を係止孔部１０から離脱させて係合部５による係合を容易に解除することができる。さらに、突出部９ａの内側面９ｎから凹部２１の外面２１ａに向かって第一リブ９ｒが形成されていることで、収容容器１を運搬する際には、他の収容容器１の突出部９ａが、突出部９ａと凹部２１との隙間に入り込むことを抑制できる。そのため、収容容器１に収容された商品を取り出す際には容易に開放できるとともに、運搬時等の意図しない収容容器１の開放を低減することができる。
【００５７】
さらに、第二リブ２１ｒが突出部９ａに向かって突出していることで、第一リブ９ｒと凹部２１との隙間に他の収容容器１の突出部９ａなどが入り込むことを抑制できる。その結果、意図しない収容容器１の開放をより一層低減することができる。
【００５８】
この発明は上述した実施形態の構成に限られるものではなく、その要旨を逸脱しない範囲で設計変更可能である。
例えば、上述した実施形態においては、収容容器１に補助係合部６を設ける場合について説明した。しかし、補助係合部６は省略しても良い。
さらに、上述した実施形態においては、係止孔部１０が、爪部２２が係止される長孔１０ａを有する場合について説明した。しかし、爪部２２が係止される孔であれば長孔形状に限られない。
【００５９】
さらに、上述した実施形態においては、爪部２２が案内面２８を有する場合について説明したが、案内面２８を省略しても良い。同様に補助係止爪３１が補助案内面３４を有する場合について説明したが、補助案内面３４を省略しても良い。
【００６０】
さらに、上述した実施形態においては、第一半割部２に係止孔部１０が形成され、第二半割部３に爪部２２が形成される場合について説明した。しかし、係止孔部１０を第二半割部３に設け、係止孔部１０を第一半割部２に設けるようにしても良い。同様に、補助係止孔部１１を第二半割部３に設け、補助爪部２３を第一半割部２に設けるようにしても良い。
【００６１】
さらに、上述した実施形態においては、凹部２１が凹曲面に形成される場合について説明したが、凹部２１は平面に形成しても良い。
【００６２】
さらに、上述した実施形態においては、第一半割部２と第二半割部３とが半球状に形成されている場合について説明した。しかし、第一半割部２と第二半割部３とは、半球状に限られない。例えば、赤道付近に、円錐面や円筒面を有した球状を変形させた形状であっても良い。さらに、開口縁部１２ａ，１２ｂが円形に形成される場合について説明したが、開口縁部１２ａ，１２ｂの一部に直線が含まれたり、曲率半径の異なる複数の円弧の組み合わせにより形成されたりしても良い。
【００６３】
さらに、上述した実施形態においては、第一リブ９ｒを２つ設ける場合について説明した。しかし、第一リブ９ｒの個数や配置は、上述した実施形態の個数や配置に限られるものではない。例えば、第一リブ９ｒは、一つだけ設けてもよく、また３つ以上設けても良い。上述した実施形態のように第一リブ９ｒを２つ以上設けた場合、突出部９ａの強度を確保する上で有利となる。また、第一リブ９ｒを２つ設けた場合、突出部９ａの強度を確保しつつ第一リブ９ｒを３つ以上設けた場合よりも形状を簡素化することができる。
【００６４】
さらに、第一リブ９ｒの長さや第二リブ２１ｒの長さは、上述した実施形態において説明および図示した長さに限られない。第一リブ９ｒの長さは、当該長さ方向における突出部９ａの寸法よりも大きくなればよく、第一リブ９ｒの第一端部９ｔ１の位置を調整して適宜変更してもよい。また、第二リブ２１ｒの長さは、爪部２２の位置から、第一半割部２と第二半割部３とを嵌め合わせた状態の突出部９ａの外縁部９ａｏの位置よりも外側の位置まで延びていればよく、必要に応じて延長や短縮するようにしても良い。
【符号の説明】
【００６５】
１…収容容器  ２…第一半割部  ３…第二半割部  ４…ヒンジ部  ５…係合部  ６…補助係合部  ７…第一内部空間  ８…第一外壁  ９…第一外周面  ９ａ…突出部  １０…係止孔部  １１…補助係止孔部  １１ａ…外面  １２ａ，１２ｂ…開口縁部  １３…切欠き  １４…補助係止部本体  １５…補助係止カバー  １６…スロープ  １７…補助開口部  １８…第二外壁  １９…第二外周面  ２０…第二内部空間  ２１…凹部  ２２…爪部  ２３…補助爪部  ２４…中央部  ２５…内周面  ２６…スリット  ２７…面取り部  ２８…案内面  ２９…係止面  ３０…補助爪部本体  ３１…補助係止爪  ３２…補助スリット  ３３…貫通孔  ３４…補助案内面
【図１】
2017206266.tif 000003
【図２】
2017206266.tif 000004
【図３】
2017206266.tif 000005
【図４】
2017206266.tif 000006
【図５】
2017206266.tif 000007
【図６】
2017206266.tif 000008